(57)【要約】【課題】エアゾールの内容物の噴射動作を利用し、それにマッサージ具を連動して作動させて、非常に優れたマッサージ効果や洗浄効果をえることができるとともにエアゾールによる内容物の効能効果を高めることができるエアゾール器用のマッサージ装置を提供する。【解決手段】マッサージ具３と、マッサージ具３をエアゾール器４に取り付ける際に安定に保持するショルダー部材とを有し、マッサージ具３が、基板３１の弾性変形部３１ａを外方へ突出した湾曲面形状であり、弾性変形部３１ａに突設された弾性を有する突出体３２ａを基板３１の略中央部に有し、突出体３２ａとステム４１を連結する導通路３５を有し、突出体３２ａに導通路３５と連通する連通孔３２ｃを設け、突出体３２ａを押すことでステム４１から導通路３５を経由して、突出体３２ａからエアゾール器４の内容物を噴出するエアゾール器用のマッサージ装置１である。【選択図】図１
2016077323.tif 000002
【特許請求の範囲】
【請求項１】
エアゾール器のバルブに取り付けるマッサージ具を患部に押し付けて、前記エアゾール器のステムを押し込むことで内容物を噴出して患部に吹き付けるエアゾール器用のマッサージ装置において、
前記マッサージ具と、前記マッサージ具を前記エアゾール器に取り付ける際に安定に保持するショルダー部材とを有し、
前記マッサージ具が、弾性変形自在とした基板の弾性変形部を外方へ突出した湾曲面形状であり、前記弾性変形部に複数突設された弾性を有する略円柱状の突出体を有し、複数の前記突出体のうちの一つの突出体を前記基板の略中央部に有し、
前記略中央部の突出体と前記ステムを連結する導通路を有し、該突出体に前記導通路と連通する連通孔を設け、該突出体を押すことで前記ステムから前記導通路を経由して、該突出体から前記エアゾール器の内容物を噴出することを特徴とするエアゾール器用のマッサージ装置。
【請求項２】
前記略中央部の突出体の内部に、前記連通孔を有するスリーブを有し、
前記導通路が前記ステムの上部と連通する連通部を有し、
さらに、前記スリーブの下部と前記導通路の上部が接合し、
該突出体を押して前記スリーブが下がり、前記基板の弾性変形部が変形することで、マッサージできる請求項１記載のエアゾール器用のマッサージ装置。
【請求項３】
前記略中央部の突出体の内部に、前記連通孔を有するスリーブを有し、
前記導通路が前記ステムの上部と連通する連通部を有し、
前記略中央部の突出体を押し込むことで前記スリーブが下がり、該スリーブの下端が前記連通部に当接することで前記ステムを押し込むことができ、該突出体から前記エアゾール器の内容物を噴出する請求項１または２記載のエアゾール器用のマッサージ装置。
【請求項４】
前記弾性変形部に内周溝を設けることによって、その弾性変形部の弾性変形の度合いを調節することができる請求項１〜３のうちいずれか一項に記載のエアゾール器用のマッサージ装置。
【請求項５】
前記弾性変形部に、前記エアゾール器の上部と前記基板間に中空部を有し、前記略中央部の突出体を除く前記突出体の中央部に、前記中空部に連通する連通孔を設け、前記弾性変形部を大きく上下変形させたときに、前記中空部に空気をスムーズに出入りさせ、その中空部に存在する多量の空気を吸排気する際に発生する空気圧を調整し、軽い力で前記弾性変形部を大きく上下変形できるようにした請求項１〜４のうちいずれか一項に記載のエアゾール器用のマッサージ装置。
【請求項６】
前記突出体の先端部に、複数の弾性を有する突出部を突設し、これら突出部の突出方向をそれぞれ外向き上方に傾斜させたものである請求項１〜５のうちいずれか一項に記載のエアゾール器用のマッサージ装置。
【請求項７】
前記突出部を略円柱状とし、その突出部の頭部を、略半球状に形成した請求項１〜６のうちいずれか一項に記載のエアゾール器用のマッサージ装置。
【発明の詳細な説明】
【技術分野】
【０００１】
本発明は、エアゾール器用のマッサージ装置に関し、特に、エアゾールの内容物の噴射動作を利用し、それにマッサージ具を連動して作動させて、非常に優れたマッサージ効果や洗浄効果をえることができるとともにエアゾールによる内容物の効能効果を高めることができるエアゾール器用のマッサージ装置に関する。
【背景技術】
【０００２】
従来から、エアゾール製品は、育毛剤、ボディ用化粧料など様々な製品が発売されている。一方、マッサージ具は、頭皮や皮膚にあててマッサージをすることで血行等を促進できることから、薬剤等の内容物の浸透を助け、内容物の効能をより顕著にする効果があった。そのため、内容物の投与とマッサージを同時に与えることが求められ、様々な機器の開発が行われている。
【０００３】
例えば、特許文献１には、人体に当ててマッサージを行うとともに、その人体に向けて内容物を噴射するエアゾール式噴射器の噴射ヘッドで、頂面にマッサージ用の凹凸を有し、エアゾール式噴射器の容器の口部に取り付けるヘッド本体と、内容物を噴射する噴口と鍔部を有し、ヘッド本体内に設けてステムに取り付ける流路形成部材と、外部操作可能にヘッド本体に回動自在に取り付けて、鍔部に当ててステムを押し込むボタンとを備えた噴射ヘッドが、開示されている。
【０００４】
また、特許文献２には、薬剤が通過可能な薬剤通路と噴出口とを備えた薬剤噴出突起を備え、この薬剤噴出突起が、中央に配位された中央側薬剤噴出突起と、これを取り巻くように配位された周囲側薬剤噴出突起とからなり、中央側薬剤噴出突起における薬剤通路の基端部と、薬剤が吐出されるステム部の吐出口との間の距離は、周囲側薬剤噴出突起における薬剤通路の基端部との同距離よりも小さいものであって、中央側薬剤噴出突起における噴出口の開口面積が、周囲側薬剤噴出突起における噴出口の開口面積よりも小さい、マッサージ機能を備えたエアゾール容器用ノズルが、開示されている。
【０００５】
さらに、特許文献３には、エアゾール容器の上端部に設置され、エアゾール容器の内容液の排出用ステムを押下して内容液を噴射できる噴射機構において、この噴射機構は、その下端部にエアゾール容器の上端部と係合する係合部を有する筒状の本体部と、この本体部の外周又は内周で上下方向に往復摺動可能な可動筒体部とからなり、本体部の上面略中央部には上下方向に延長し、排出用ステムと連結する導通路が形成され、本体部と可動筒体部の摺接面の何れか一方に１又は２以上の係合突起部を設け、これら係合突起部と相互に適合する係合長条孔部を他方の摺接面に斜め方向に設け、本体部と可動筒体部の間には上下反対方向に両者を相互に付勢する付勢部材を介在させ、これにより可動筒体部は周方向に回動しつつ上下方向に摺動可能となり、可動筒体部の上端面には、複数の突起部が設けられ、且つ、可動筒体部の上端面の略中央部には、エアゾール容器の内容液の排出用ステムに向かう通路が形成され、この通路の下端部が前記本体部の導通路の周囲を押下することにより排出用ステムが押下され、これにより、可動筒体部の上端面の突起部を使用者の身体の所望部位に当接して押圧することにより、これら複数の突起部が使用者の身体の所望部位を押圧しつつ回動し、且つ可動筒体部の通路を介してエアゾール容器の内容液が排出用ステムから導通路を通過して噴射されるエアゾール容器のマッサージ機能付き噴射機構が、開示されている。
【０００６】
一方、特許文献４には、弾性変形自在とした基板の弾性変形部を外方へ突出した湾曲面形状とし、弾性変形部に複数突設された弾性を有する略円柱状の突出体の先端部に、複数の弾性を有する突出部を突設し、これら突出部の突出方向をそれぞれ外向き下方に傾斜させたものとし、弾性変形部に内周溝を設けることによって、その弾性変形部の弾性変形の度合いを調節することができるマッサージ具がが、開示されている。
【先行技術文献】
【特許文献】
【０００７】
【特許文献１】特開２００３−２９０６８８号公報
【特許文献２】特開２００６−３２５９８１号公報
【特許文献３】特開２０１４−１０４９８５号公報
【特許文献４】特開２０１２−１８７２１９号公報
【発明の概要】
【発明が解決しようとする課題】
【０００８】
しかしながら、特許文献１〜３記載の技術は、エアゾールの内容物の噴射とマッサージ効果を与えることはできるものの、マッサージ具の形状が単に突起を有する構造のため、エアゾールの内容物の噴射により頭皮や地肌が濡れた状態になると、頭皮や地肌をしっかりと保持することができず、これらを摘んだり、広げたりするためには強い力が必要であるため、頭皮や地肌を傷つけるおそれがあり、優れたマッサージ効果や洗浄効果をえることができないばかりでなくエアゾールによる内容物の効能効果を著しく損なうという問題点があった。
【０００９】
また、特許文献４記載の技術は、マッサージのみを目的としたものであるため、エアゾールを使用する際には別途エアゾール内容物を噴射する必要があり、エアゾールによる内容物の効能効果を十分に高めることができないという問題点があった。
【００１０】
そこで本発明の目的は、前記の従来技術の問題を解決し、エアゾールの内容物の噴射動作を利用し、それにマッサージ具を連動して作動させて、非常に優れたマッサージ効果や洗浄効果をえることができるとともにエアゾールによる内容物の効能効果を高めることができるエアゾール器用のマッサージ装置を提供することにある。
【課題を解決するための手段】
【００１１】
本発明者らは、前記課題を解決すべく鋭意検討を行った結果、特定の形状を有するマッサージ具をエアゾール器に取り付け、エアゾールの内容物の噴射動作を利用してマッサージ具を連動して作動させることによって、前記目的を達成し得ることを見出し、本発明を完成するに至った。
【００１２】
即ち、本発明のエアゾール器用のマッサージ装置は、  エアゾール器のバルブに取り付けるマッサージ具を患部に押し付けて、前記エアゾール器のステムを押し込むことで内容物を噴出して患部に吹き付けるエアゾール器用のマッサージ装置において、
前記マッサージ具と、前記マッサージ具を前記エアゾール器に取り付ける際に安定に保持するショルダー部材とを有し、
前記マッサージ具が、弾性変形自在とした基板の弾性変形部を外方へ突出した湾曲面形状であり、前記弾性変形部に複数突設された弾性を有する略円柱状の突出体を有し、複数の前記突出体のうちの一つの突出体を前記基板の略中央部に有し、
前記略中央部の突出体と前記ステムを連結する導通路を有し、該突出体に前記導通路と連通する連通孔を設け、該突出体を押すことで前記ステムから前記導通路を経由して、該突出体から前記エアゾール器の内容物を噴出することを特徴とするものである。
【００１３】
また、本発明のエアゾール器用のマッサージ装置は、前記略中央部の突出体の内部に、前記連通孔を有するスリーブを有し、前記導通路が前記ステムの上部と連通する連通部を有し、さらに、前記スリーブの下部と前記導通路の上部が接合し、該突出体を押して前記スリーブが下がり、前記基板の弾性変形部が変形することで、マッサージできることが好ましく、前記略中央部の突出体の内部に、前記連通孔を有するスリーブを有し、前記導通路が前記ステムの上部と連通する連通部を有し、前記略中央部の突出体を押し込むことで前記スリーブが下がり、該スリーブの下端が前記連通部に当接することで前記ステムを押し込むことができ、該突出体から前記エアゾール器の内容物を噴出することが好ましい。
【００１４】
さらに、本発明のエアゾール器用のマッサージ装置は、前記弾性変形部に内周溝を設けることによって、その弾性変形部の弾性変形の度合いを調節することができることが好ましい。
【００１５】
さらにまた、本発明のエアゾール器用のマッサージ装置は、前記弾性変形部に、前記エアゾール器の上部と前記基板間に中空部を有し、前記略中央部の突出体を除く前記突出体の中央部に、前記中空部に連通する連通孔を設け、前記弾性変形部を大きく上下変形させたときに、前記中空部に空気をスムーズに出入りさせ、その中空部に存在する多量の空気を吸排気する際に発生する空気圧を調整し、軽い力で前記弾性変形部を大きく上下変形できるようにしたことが好ましく、前記突出体の先端部に、複数の弾性を有する突出部を突設し、これら突出部の突出方向をそれぞれ外向き上方に傾斜させたものであることが好ましく、さらにまた、前記突出部を略円柱状とし、その突出部の頭部を、略半球状に形成したことが好ましい。
【発明の効果】
【００１６】
本発明によると、エアゾールの内容物の噴射動作を利用し、それにマッサージ具を連動して作動させて、非常に優れたマッサージ効果や洗浄効果をえることができるとともにエアゾールによる内容物の効能効果を高めることができるエアゾール器用のマッサージ装置を提供することができる。
【図面の簡単な説明】
【００１７】
【図１】本発明のエアゾール器用のマッサージ装置の一例を示す断面図である。
【図２】本発明のエアゾール器用のマッサージ装置の使用の一例を示す部分断面図である。
【図３】本発明のエアゾール器用のマッサージ装置の一例を示す上面図である。
【図４】本発明のエアゾール器用のマッサージ装置の突出体の一例を示す図である。
【図５】本発明のエアゾール器用のマッサージ装置にキャップを付けた場合の断面図である。
【図６】本発明のエアゾール器用のマッサージ装置の側面図である。
【図７】本発明のエアゾール器用のマッサージ装置の斜視図である。
【発明を実施するための形態】
【００１８】
以下、本発明のエアゾール器用のマッサージ装置について具体的に説明する。
図１は、本発明のエアゾール器用のマッサージ装置の一例を示す断面図である。本発明のエアゾール器用のマッサージ装置１は、エアゾール器４のバルブに取り付けるマッサージ具３を患部に押し付けて、エアゾール器４のステム４１を押し込むことで内容物を噴出して患部に吹き付けるエアゾール器用のマッサージ装置１である。また、本発明のエアゾール器用のマッサージ装置１は、マッサージ具３と、マッサージ具３をエアゾール器４に取り付ける際に安定に保持するショルダー部材２とを有している。
【００１９】
また、本発明のエアゾール器用のマッサージ装置１は、マッサージ具３が、弾性変形自在とした基板３１の弾性変形部３１ａを外方へ突出した湾曲面形状であり、弾性変形部３１ａに複数突設された弾性を有する略円柱状の突出体３２ａ、３２ｂを有したものである。これにより、マッサージ具３を押しこむ、あるいはそれを戻すことにより、突出体３２ａ、３２ｂで頭皮等を掴んで広げるマッサージが可能となる。さらに、マッサージ具３を頭皮等に押し込むと、マッサージ具３とエアゾール器４のステム４１とを連結した導通路３５（パイプ）を介して、ステム４１が開放され導通路３５を通じて、エアゾール器４内の内容物がマッサージ具３の突出体３２ａ側より放出され、塗布することでマッサージが可能となる。
【００２０】
また、本発明のエアゾール器用のマッサージ装置１は、略中央部の突出体３２ａとステム４１を連結する導通路３５を有し、突出体３２ａに導通路３５と連通するスリーブ３２ｅおよび連通孔３２ｃを設け、突出体３２ａを押すことでステム４１から導通路３５を経由して、導通路３５の上端からエアゾール器４の内容物を噴出するものである。さらに、略中央部の突出体３２ａの内部に、連通孔３２ｃを有するスリーブ３２ｅを有し、導通路３５がステム４１の上部と連通する連通部３５ａを有し、さらに、スリーブ３２ｅの下部と導通路３５の上部が接合し、突出体３２ａを押してスリーブ３２ｅが下がり、基板３１の弾性変形部３１ａが変形することで、マッサージできることができる。また、略中央部の突出体３２ａの内部に、連通孔３２ｃを有するスリーブ３２ｅを有し、導通路３５がステム４１の上部と連通する連通部３５ａを有し、略中央部の突出体３２ａを押し込むことでスリーブ３２ｅが下がり、スリーブ３２ｅの下端が連通部３５ａに当接することでステム４１を押し込むことができ、突出体３２ａからエアゾール器４の内容物を噴出することができる。これにより、マッサージ具３とステム４１とを連結させた導通路３５の接合構造によって、マッサージ具３の基板３１が、上下変形することができて、マッサージ効果を得ることができる。また、スリーブ３２ｅの下部と導通路３５の上部が接合することによる上下範囲（ストローク）では、エアゾール器４のステム４１は開放しないでマッサージのみをすることができ、スリーブ３２ｅの下端が連通部３５ａに当接する位置まで突出体３２ａ、３２ｂを押し込むことでエアゾール器４のステム４１が開放して、内容物を放出および塗布してマッサージすることができ、またステム４１の開放位置を調整することができる。ここで、突出体３２ａとその内部に収まっているスリーブ３２ｅは一体化されていてもよい。また、図１では、導通路３５は、スリーブ３２ｅの２部材となっているが、さらに他の部材を有していてもよい。なお、導通路３５はショルダー部材２の一部となっている。また、ここで、スリーブ３２ｅの下部と導通路３５の上部が接合するとは、スリーブ３２ｅの下部の内側に導通路３５の上部の外側が入り込むように接続することであり、そのため、スリーブ３２ｅが下降した際には、後述する図２（ｂ）の双方向矢印Ａの分だけスリーブ３２ｅの内部に導通路３５が入り込むようになり、スリーブ３２ｅの下端と連通部３５ａとの間には双方向矢印Ｂの分だけ距離が生じる。スリーブ３２ｅの下端が連通部３５ａに当接するとは、後述する図２（ｂ）の双方向矢印Ｂの距離がなくなり、スリーブ３２ｅの下端が連通部３５ａに当たっている状態である。
【００２１】
図２は、本発明のエアゾール器用のマッサージ装置の使用の一例を示す部分断面図である。図中、（ａ）は突出体３２ａを押しこむ前の図であり、（ｂ）は押し込んだ後の図で、内容物を噴出できない状態の図であり、（ｃ）は押し込んだ後の図で、内容物を噴出できる状態の図である。本発明のエアゾール器用のマッサージ装置１は、使用者が片手でエアゾール器４を把持して、その使用者の頭皮や地肌に突出部３３を軽い力で押し当てれば、突出体３２ａが押し込まれ、適度な反発力のクッション性を保ちながら、弾性変形部３１ａが大きく上下弾性変形して、図２（ａ）に示した外方へ突出した状態から、図２（ｂ）に示したような内方へ大きく凹んだ状態となり、さらに図２（ｃ）に示めすように、さらに押し込んだ状態とすることで、スリーブ３２ｅの下端が連通部３５ａに当接することでステム４１から導通路３５を経由して、導通路３５の上端からエアゾール器４の内容物を噴出する。この状態では、基板３１の弾性変形部３１ａに突設した複数の突出体３２ａ、３２ｂが、凹んだり傾いたりして、それぞれの突出体３２ａ、３２ｂどうしが最も近づくが、突出体３２ａ、３２ｂに突設した突出部３３が、押し曲げられて、それぞれの突出部３３どうしが離れるので、これら複数の突出体３２ａ、３２ｂの作用によって頭皮や地肌が大きなストローク量で全体的に縮められると共に、これら複数の突出部３３の作用によって頭皮や地肌が部分的に押し広げることができる。また、内容物の噴出のタイミングは、図２（ｂ）の状態では噴出させずにマッサージでき、図２（ｃ）の状態では、使用者が突出体３２ａを押し込むことで図２（ｃ）中の矢印Ｃの方向に内容物を噴射させながら、マッサージすることができる。
【００２２】
また、使用者が手の力を抜き、頭皮や地肌に突出部３３を押し当てるのを止めると、基板３１の弾性変形部３１ａが再び大きく弾性変形して、図２（ｂ）および図２（ｃ）に示した内方へ大きく凹んだ状態から、図２（ａ）に示したような外方へ突出した元の状態に戻り、突出体３２ａ、３２ｂどうしが大きなストローク量で離れ、その結果、頭皮や地肌を大きく押し広げることとなる。この状態においては、基板３１の弾性変形部３１ａに突設した複数の突出体３２ａ、３２ｂも、突出体３２ａ、３２ｂに突設した突出部３３も元の状態となり、これら複数の突出体３２ａ、３２ｂの作用によって全体的に縮められた頭皮や地肌も大きなストローク量で元の状態に戻ると共に、これら複数の突出部３３の作用によって部分的に押し広げられた頭皮や地肌が大きなストローク量で摘まれることになる。したがって、本発明のエアゾール器用のマッサージ装置１では、上記のように頭皮に突出部３３を押し当てたり、押し当てるのを止める操作を繰り返したりすることにより、より大きなストローク量で、充分なマッサージ効果や洗浄効果を得ることができるとともに、エアゾール内容物の効能効果を高めることができる。
【００２３】
さらに、本発明のエアゾール器用のマッサージ装置１は、弾性変形部３１ａと外周縁部３１ｂの繋ぎ目には内周溝３４を設け、その繋ぎ目を薄肉にし、その内周溝３４の深さや幅を調節することによって、弾性変形部３１ａの弾性変形の度合いを調節することができるようにしている。なお、内周溝３４は、図示していないが、弾性変形部３１ａの適当な個所に設けたものとすることもできる。
【００２４】
図３は、本発明のエアゾール器用のマッサージ装置の一例を示す上面図である。本発明のエアゾール器用のマッサージ装置１を上から見ると、エアゾールの形状にあわせたほぼ円形をしており、図２中、複数の突出体３２ａ、３２ｂのうちの一つの突出体３２ａを基板３１の略中央部に有し、その周囲に等間隔で５個有している。図２では、合計６個の突出体３２ａ、３２ｂを有しているが、本発明の効果が得られれば、その数は限定されない。ただし、前記のように合計６個の突出体３２ａ、３２ｂを設けることで、エアゾールの内容物の噴射動作を利用してマッサージ具を連動して作動させる際に、より頭等へのフィット性が増し、非常に優れたマッサージ効果や洗浄効果をえることができる。
【００２５】
また、本発明のエアゾール器用のマッサージ装置１は、弾性変形部３１ａに、エアゾール器４の上部と基板３１間に中空部３６を有し、略中央部の突出体３２ａを除く突出体３２ｂの中央部に、中空部３６に連通する連通孔３２ｄを設けている。本発明では、弾性変形部３１ａの大きな上下の動きを、軽い力でスムーズな動きになるように、突出体３２ｂの中央部に連通孔３２ｄを設けることによって、中空部３６の空気をスムーズに出し入れする調整が可能になり、その結果、弾性変形部３１ａの大きな上下の動きを最適な動きにすることができ、摘む、広げるという動きを軽い力でもって、大きなストローク量の摘む、広げるという動きにすることが可能である。さらに、中空部３６の空気をスムーズに出し入れできるように調整することにより、弾性変形部３１ａのクッション性を左右する、反発力をも最適な反発力に調整することができる。さらに、図示はしていないが、弾性変形部３１ａに中空部３６に連通する複数の連通孔を設けることもできる。これによりクッション性をより高めることができる。
【００２６】
また、本発明において、基板３１と突出体３２ａ、３２ｂとは、同一材質の軟質合成樹脂等からなるものとしているが、相違する材質の軟質合成樹脂等からなるものでもよい。さらに、基板３１と突出体３２ａ、３２ｂとは、別体として成形した後に連結したものとしているが、一体成形とすることもできる。
【００２７】
さらにまた、本発明において、基板３１は、軟質合成樹脂等からなるものとしており、外周縁部３１ｂをショルダー部材２の上周端に設けた嵌合溝２１に着脱不能として嵌め込んだものとしているが、そのショルダー部材２の上周端の嵌合溝２１に着脱可能として嵌め込んだものとしてもよい。さらに、基板３１は、弾性変形部３１ａの直径方向の中央断面形状が緩やかな曲線になるものとしている。また、本発明では、かかる曲線の曲率半径を９０〜１５０ｍｍとしたものとするのが、好ましいものである。
【００２８】
さらに、本発明のエアゾール器用のマッサージ装置１は、突出体３２ａ、３２ｂの先端部に、複数の弾性を有する突出部３３を突設し、これら突出部３３の突出方向は特に限定されないが、それぞれ外向き上方に傾斜させたものであることが好ましい。図４は、本発明のエアゾール器用のマッサージ装置の突出体の一例を示す図である。図中、（ａ）は斜視図、（ｂ）は側面図、（ｃ）は他の側面図である。本発明のエアゾール器用のマッサージ装置１は、突出部３３を略円柱状とし、その突出部３３の頭部３７を、略半球状に形成されている。本発明において、突出体３２ａ、３２ｂは、直径を１０ｍｍ程度とし、高さを５〜１０ｍｍ程度とした略円柱形状としており、先端部に弾性を有する略円柱状の突出部３３を、その突出体３３から外向き上方に傾斜させて複数突設したものとしている。突出体３２ａ、３２ｂと突出部３３とは、同一材質の軟質合成樹脂等からなるものとしているが、相違する材質の軟質合成樹脂等からなるものとしてもよい。また、突出体３２ａ、３２ｂと突出部３３とは、一体成形したものとしているが、別体として成形した後に連結したものとしてもよい。
【００２９】
また、本発明において、突出部３３は、直径を１〜３ｍｍ程度とし、高さを５〜１０ｍｍ程度にしており、その頭部３７を略半球状に形成したものとしている。図３では、突出部３３を突出体３２ａ、３２ｂの先端部の周囲に沿って等間隔に設け、それぞれを突出体３２ａ、３２ｂの外向き上方に傾斜させたものとしている。この場合の突出体３２ａ、３２ｂの傾斜角度αとしては、６０〜８０°にして傾斜させたものとするのが、好ましい。従来よくみられるように９０°とした場合には、突出部３３の変形曲りがスムーズにできず、摘み広げるという動きがスムーズにできないおそれがある。
【００３０】
さらに、本発明において、突出部３３のうち、弾性変形部３１ａの略中心部に突設した突出体３２ａの周囲に等間隔で複数個を突設した突出体３２ｂに突設した突出部３３は、基板３１の弾性変形部３１ａの中心部に向かうものほど長く形成したものでも、短く形成したものでもよいが、中心部に向かうものほど長く形成したものであることが好ましい。長く形成することで、弾性変形部３１ａの湾曲面形状との関係で、頭皮等の洗浄面に数多くの突出部３３が接触することができる。
【００３１】
図５は、本発明のエアゾール器用のマッサージ装置にキャップを付けた場合の断面図であり、図６は、本発明のエアゾール器用のマッサージ装置の側面図であり、図７は、本発明のエアゾール器用のマッサージ装置の斜視図である。図５に示すように、本発明のエアゾール器用のマッサージ装置１には、キャップ５を取り付けて、マッサージ具３の突出体３２ａ、３２ｂ等を保護することができる。また、図６および図７に示すように、本発明のエアゾール器用のマッサージ装置１は、エアゾール器４にマッサージ具３およびショルダー部材２を取り付けて、一体的に取り扱うことができる。
【００３２】
本発明において、取り付けることができるエアゾール器４としては、マッサージ具３およびショルダー部材２が取り付けられる大きさや形状の要件を満たしていれば特に限定されないが、通常市販されているもので人体に使用できるもの、例えば、育毛用やボディ用の化粧料を使用することができる。育毛剤の場合は、頭皮にマッサージ具３をあてて使用し、ボディ用の化粧料の場合は、顔を含め人体の肌にマッサージ具３をあてて使用することができる。
【００３３】
以下、本発明について、実施例を用いてさらに詳細に説明するが、本発明はこれらの実施例に限定されるものではない。
【実施例】
【００３４】
（実施例１）
市販の育毛剤に図１記載の本発明のエアゾール器用のマッサージ装置１を取り付けた。これにより、マッサージと同時に育毛剤の噴射を行うことができ、育毛効果を高めることができた。
【００３５】
（実施例２）
市販のボディスリミング用エアゾールに図１記載の本発明のエアゾール器用のマッサージ装置１を取り付けた。これにより、マッサージと同時にボディ用エアゾールの噴射を行うことができ、スリミング効果を高めることができた。
【符号の説明】
【００３６】
１  エアゾール器用のマッサージ装置
２  ショルダー部材
２１  嵌合溝
３  マッサージ具
３１  基板
３１ａ  弾性変形部
３１ｂ  外周縁部
３２ａ  突出体
３２ｂ  突出体
３２ｃ  連通孔
３２ｄ  連通孔
３２ｅ  スリーブ
３３  突出部
３４  内周溝
３５  導通路
３５ａ  連通部
３６  中空部
３７  頭部
４  エアゾール器
４１  ステム
５  キャップ
Ａ  双方向矢印
Ｂ  双方向矢印
Ｃ  矢印
【図１】
2016077323.tif 000003
【図２】
2016077323.tif 000004
【図３】
2016077323.tif 000005
【図４】
2016077323.tif 000006
【図５】
2016077323.tif 000007
【図６】
2016077323.tif 000008
【図７】
2016077323.tif 000009